(57)【要約】【課題】壁面の出隅部において巾木用コーナーパッドを両面テープ等により貼着する手段を使用せずに取り付けることができる巾木用コーナーパッドの取付装置を提供すること。【解決手段】壁面に取り付けられる面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能としたことを特徴とする。【選択図】図３
2016084685.tif 000002
【特許請求の範囲】
【請求項１】
壁面に貼着される面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能としたことを特徴とする巾木用コーナーパッドの取付装置。
【請求項２】
請求項１記載の外隅用のコーナーパッドに形成された舌片を折り取り可能としたこと特徴とする請求項１記載の巾木用コーナーパッドの取付装置。
【発明の詳細な説明】
【技術分野】
【０００１】  本発明は、壁面の出隅部において巾木用コーナーパッドを両面テープ等により貼着する手段を使用せずに取り付けることができる巾木用コーナーパッドの取付装置に関するものである。
【背景技術】
【０００２】  従来、壁のコーナー部分に巾木の突き合わせ部分を隠すためのコーナーパッドを取り付ける場合、巾木の突合せ部に両面テープ等で貼着することによって取り付ける方法と、図５、図６に示すように、コーナーパッドａに巾木ｂの端面側に形成された溝ｃに差し入れることができる舌片ｄを左右両方向に形成し、その２方向の舌片ｄ、ｄを最初から両巾木の溝ｃに差し入れた状態で巾木ｂとコーナーパッドａを一体化して取り付ける方法とがある。
【発明の開示】
【発明が解決しようとする課題】
【０００３】  前者の従来方法ではコーナーパッドの壁面側の面に両面テープの一面を貼り、他面を巾木に貼着させて取り付ける手段を要して不便であり、後者の従来方法では両面テープ等の貼着手段は必要ないが、最初から巾木とコーナーパッドを一体化しておく必要があって、誤って巾木を先に壁面に取り付けた場合には後からコーナーパッドを取り付けることができないという問題点があった。
【発明の目的】
【０００４】  本発明は、巾木を先に壁面に取り付けておいても両面テープ等の貼着手段を要することなく後から簡単にコーナーパッドを取り付けることができる巾木用コーナーパッドの取付装置に関するものである。
【課題を解決するための手段】
【０００５】  本発明に係る巾木用コーナーパッドの取付装置の請求項１では、壁面に取り付けられる面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能としたことを特徴とするものである。
【０００６】  また、本発明の請求項２では、誤って壁面側に溝が隠れた状態で巾木が取り付けられてしまった場合とか、溝のない巾木を使用した場合には前記舌片を折り取り可能とすることで従来の巾木の突合せ部に両面テープ等で貼着することによって取り付ける方法を採用することができるものである。
【発明の作用】
【０００７】  本発明に係る巾木用コーナーパッドの取付装置は、壁面に取り付けられた一方の巾木の前記溝にコーナーパッドの舌片を差し入れることにより両面テープ等で貼着するような手段を要することなく簡単に出隅部に取り付けることができる。
【実施例】
【０００８】  図１は、本発明装置を構成するコーナーパッドの背面側から見た斜視図、図２は、同コーナーパッドの舌片の折り取り状態を表す同斜視図、図３は、本発明装置によるコーナーパッドの取り付け状態を表す斜視図、図４は、舌片を折り取った状態のコーナーパッドを巾木の突合せ部に両面テープ等で貼着することによって取り付けることができることを示す斜視図である。【０００９】  図示において、１は、本発明装置を構成する両側板１−１、１−１が直行する平面形状Ｌ型のコーナーパッドであって、硬質の合成樹脂で成形され、外観上通常の巾木用の出隅用コーナーパッドであるが、一方の側板１−１の内面には巾木の溝に差し込み、側板１−１との間で巾木を挟み込んでコーナーパッド１を取り付けることができる一方向の舌片１−２が巾木同士の突合せ部の隙間に収まる大きさのコ字形の基部１−３に形成されている。【００１０】  また、舌片１−２は巾木２に舌片１−２が差し込める溝２−１がある場合には必須であるが、誤ってこの溝２−１が隠された状態で巾木を取り付けた場合とか、溝のない巾木を取り付けてしまった場合にはこの舌片が邪魔になって取り付けることができないので、舌片１−２を折り取ることができるように基部１−３と舌片１−２との間にＶ溝１ａを形成してあるが、舌片１−２部分を基部１−３の板厚よりも薄くすることで折り取り易いようにしてもよい。【００１１】  ２は、前記コーナーパッド１の舌片１−２が差し込める溝２−１を壁面に面接される側に形成した巾木である。【００１２】  次に、本発明装置によるコーナーパッドの取付方法を説明すれば、先ず、図３のように正規の溝２−１がある巾木２の場合、予め巾木２、２が壁面にタッカー止め、ネジ止め等によって取り付けられている一方の巾木２の溝２−１にコーナーパッド１の舌片１−２を差し込むだけでコーナーパッド１はその巾木２を舌片１−２と側片１−１の間で挟み込んで巾木に取り付けられる。【００１２】  次に、図４のように溝が隠された状態の巾木や、溝のない巾木の場合、コーナーパッド１に舌片１−２があると邪魔になってそのままの状態でコーナーパッド１を巾木には取り付けることができないので、舌片１−２をＶ溝１ａ部分又は薄板部分で折り取って両側板１−１．１−１部分に両面テープＡ、Ａを貼って巾木に貼着して取り付けるものである。
【発明の効果】
【００１３】  本発明に係る巾木用コーナーパッドの取付装置によれば、壁面に取り付けられる面側に溝を形成した巾木と、一方の側板の内面側に水平に延びる舌片を形成した外隅用のコーナーパッドとから構成され、壁面に取り付けられた一方の巾木の前記溝にコーナーパッドの舌片を差し入れることにより出隅部に装着可能としたものであるから、巾木を先に壁面に取り付けておいても両面テープ等の貼着手段を要することなく後から簡単にコーナーパッドを取り付けることができ、また、使用法を誤って溝が隠された状態で使用した場合や、溝のない巾木を使用しても両面テープによる従来法を採用してコーナーパッドを巾木に取り付けることができて便利である。
【図面の簡単な説明】
【００１４】
【図１】  本発明装置を構成するコーナーパッドの背面側から見た斜視図である。
【図２】  同コーナーパッドの舌片の折り取り状態を表す同斜視図である。
【図３】  本発明装置によるコーナーパッドの取り付け状態を表す斜視図である。
【図４】  舌片を折り取った状態のコーナーパッドを巾木の突合せ部に両面テープ等で貼着することによって取り付けることができることを示す斜視図である。
【図５】  従来法によるコーナーパッドの取り付け状態を表す斜視図である。
【図６】  従来法によるコーナーパッドの取り付け状態を表す斜視図である。
【符号の説明】
【００１５】  １          コーナーパッド
２          巾木
【図１】
2016084685.tif 000003
【図２】
2016084685.tif 000004
【図３】
2016084685.tif 000005
【図４】
2016084685.tif 000006
【図５】
2016084685.tif 000007
【図６】
2016084685.tif 000008